(57)【特許請求の範囲】
【請求項１】
表示領域と、前記表示領域を囲む様に設けられた外枠領域と、を備え、
前記表示領域には表示セルが設けられ、前記外枠領域には外枠セルが設けられ、
前記表示セルには、第一粒子と第二粒子とを含む第一分散液が充填され、
前記外枠セルには、少なくとも前記第一粒子を含む第二分散液が充填され、
前記第一粒子の重量と前記第二粒子の重量との和に対する前記第一粒子の重量比が、前記第一分散液と前記第二分散液とでは異なっている事を特徴とする電気泳動表示装置。
【請求項２】
前記第一分散液における前記重量比をＲ1と表記し、前記第二分散液における前記重量比をＲ2と表記した際に、前記Ｒ1と前記Ｒ2とは、数式１の関係式を満たす事を特徴とする請求項１に記載の電気泳動表示装置。
【数１】
0005765137.tif 000027
【請求項３】
表示領域と、前記表示領域を囲む様に設けられた外枠領域と、を備え、
前記表示領域には表示セルが設けられ、前記外枠領域には外枠セルが設けられ、
前記表示セルには、第一粒子と第二粒子とを含む第一分散液が充填され、
前記外枠セルには、前記第一粒子を含み、前記第二粒子を含まない第三分散液が充填されている事を特徴とする電気泳動表示装置。
【請求項４】
表示領域と、前記表示領域を囲む様に設けられた外枠領域と、を備え、
前記表示領域には表示セルが設けられ、前記外枠領域には外枠セルが設けられ、
前記表示セル内には、第一粒子が第一の組成比で溶液に分散された分散液が充填され、
前記外枠セル内には、前記第一粒子が第二の組成比で前記溶液に分散された分散液が充填され、
前記第一の組成比と前記第二の組成比とが異なる事を特徴とする電気泳動表示装置。
【請求項５】
前記第一の組成比をＣ1と表記し、前記第二の組成比をＣ2と表記した際に、前記Ｃ1と前記Ｃ2とは、数式２の関係式を満たす事を特徴とする請求項４に記載の電気泳動表示装置。
【数２】
0005765137.tif 000028
【請求項６】
第一基板と第二基板とを有し、
前記第一基板の前記表示領域となる領域には画素電極が設けられ、
前記第一基板の前記外枠領域となる領域には画素電極が設けられていない事を特徴とする請求項１乃至５のいずれか一項に記載の電気泳動表示装置。
【請求項７】
表示領域と、前記表示領域を囲む様に設けられた外枠領域と、を備えた電気泳動表示装置の製造方法であって、
第一基板上で前記表示領域となる領域に表示セルを設け、前記外枠領域となる領域に外枠セルを設けるセル形成工程と、
第一吐出部と第二吐出部とを有する吐出装置を用いて、第一粒子を含む第一成分を前記第一吐出部より前記表示セルと前記外枠セルとに注入する第一注入工程と、
前記吐出装置を用いて、第二粒子を含む第二成分を前記第二吐出部より少なくとも前記表示セルに注入する第二注入工程と、を含み、
前記第二注入工程にて、更に、前記第二成分を前記第二吐出部より前記外枠セルに、前記第一粒子の重量と前記第二粒子の重量との和に対する前記第一粒子の重量比が、前記表示セルと前記外枠セルとでは異なる様に注入する事を特徴とする電気泳動表示装置の製造方法。
【請求項８】
前記第一注入工程における前記第一成分の注入量が前記表示セルと前記外枠セルとでは異なる事を特徴とする請求項７に記載の電気泳動表示装置の製造方法。
【発明の詳細な説明】
【技術分野】
【０００１】
本発明は、電気泳動表示装置とその製造方法の技術分野に関する。
【背景技術】
【０００２】
電気泳動表示装置では、電気泳動材料を挟んで対向する画素電極と共通電極と間に電圧を印加して、帯電した黒粒子や白粒子等の電気泳動粒子を空間的に移動させる事で表示領域に画像を形成している。表示領域には画素電極が行列状に配置され、表示領域の外周には走査線駆動回路やデータ線駆動回路（両者を合わせて駆動回路と称する）、各種配線などが設けられ、各画素電極に表示に適した信号を供給している。従来の電気泳動表示装置では、特許文献１に記載されている様に、表示領域の外周に形成されたこれら駆動回路や配線を平面的に覆う様に、ダミー電極が額縁状に設けられていた。これにより、駆動回路や配線からの漏れ電界を遮蔽して表示品質を向上させると共に、ダミー電極が設けられた領域を、表示領域に対する額縁として利用していた。
【先行技術文献】
【特許文献】
【０００３】
【特許文献１】特開２００６−２２７０５３号公報
【発明の概要】
【発明が解決しようとする課題】
【０００４】
しかしながら、従来の電気泳動表示装置では、ダミー電極と駆動回路や配線との間に寄生容量が形成される為に、駆動回路が誤動作し易く、更には高速動作が妨げられるという課題があった。一方、ダミー電極を取り除くと、駆動回路や配線からの漏れ電界により、表示領域の外周に電気泳動材料の未制御領域が発生し、表示品位が落ちるという課題があった。換言すると、従来の電気泳動表示装置では高い表示品位と高速で正確な表示駆動動作とが両立しがたいという課題が有った。
【課題を解決するための手段】
【０００５】
本発明は、前述の課題の少なくとも一部を解決する為になされたものであり、以下の形態又は適用例として実現することが可能である。
【０００６】
（適用例１）  本適用例に係わる電気泳動表示装置は、表示領域と、表示領域を囲む様に設けられた外枠領域と、を備え、表示領域には表示セルが設けられ、外枠領域には外枠セルが設けられ、表示セルには、第一粒子と第二粒子とを含む第一分散液が充填され、外枠セルには、少なくとも第一粒子を含む第二分散液が充填され、第一粒子の重量と第二粒子の重量との和に対する第一粒子の重量比が、第一分散液と第二分散液とでは異なっている事を特徴とする。
この構成によれば、表示領域で使用されている材料と同じ材料を用いて外枠領域を形成するので、表示領域と一体感があって自然な感覚を使用者にもたらす額縁や、表示領域を引き立たせる額縁を外枠領域に形成する事ができる。即ち、高い表示品位を有する電気泳動表示装置が実現する。
【０００７】
（適用例２）  上記適用例に係わる電気泳動表示装置において、第一分散液における重量比をＲ1と表記し、第二分散液における重量比をＲ2と表記した際に、Ｒ1とＲ2とは、数式１の関係式を満たす事が好ましい。
【０００８】
【数１】
0005765137.tif 000002
この構成によれば、外枠領域の色相を第一粒子の色相又は第一粒子の色相に近い色相、或いは第二粒子の色相又は第二粒子の色相に近い色相とする事ができる。従って、表示領域における第二粒子の色相や第一粒子の色相を際立たせる事や、使用者に表示領域における第一粒子の色相と第二粒子の色相とのコントラスト比が高い様に感じさせる事ができる。
【０００９】
（適用例３）  本適用例に係わる電気泳動表示装置は、表示領域と、表示領域を囲む様に設けられた外枠領域と、を備え、表示領域には表示セルが設けられ、外枠領域には外枠セルが設けられ、表示セルには、第一粒子と第二粒子とを含む第一分散液が充填され、外枠セルには、第一粒子を含み、第二粒子を含まない第三分散液が充填されている事を特徴とする。
この構成によれば、外枠領域の色相を第一粒子の色相とする事ができる。従って、表示領域における第二粒子の色相を際立たせる事ができる。
【００１０】
（適用例４）  本適用例に係わる電気泳動表示装置は、表示領域と、表示領域を囲む様に設けられた外枠領域と、を備え、表示領域には表示セルが設けられ、外枠領域には外枠セルが設けられ、表示セル内には、第一粒子が第一の組成比で溶液に分散された分散液が充填され、外枠セル内には、第一粒子が第二の組成比で溶液に分散された分散液が充填され、第一の組成比と第二の組成比とが異なる事を特徴とする。
この構成によれば、表示領域で使用されている材料と同じ材料を用いて外枠領域を形成するので、表示領域と一体感があって自然な感覚を使用者にもたらす額縁や、表示領域を引き立たせる額縁を外枠領域に形成する事ができる。即ち、高い表示品位を有する電気泳動表示装置が実現する。
【００１１】
（適用例５）  上記適用例に係わる電気泳動表示装置において、第一の組成比をＣ1と表記し、第二の組成比をＣ2と表記した際に、Ｃ1とＣ2とは、数式２の関係式を満たす事が好ましい。
【００１２】
【数２】
0005765137.tif 000003
この構成によれば、外枠領域の色相を第一粒子の色相又は第一粒子の色相に近い色相、或いは溶液の色相又は溶液の色相に近い色相とする事ができる。従って、表示領域における溶液の色相や第一粒子の色相を際立たせる事や、使用者に表示領域のコントラスト比が高い様に感じさせる事ができる。
【００１３】
（適用例６）  本適用例に係わる電気泳動表示装置は、表示領域と、表示領域を囲む様に設けられた外枠領域と、を備え、表示領域には表示セルが設けられ、外枠領域には外枠セルが設けられ、表示セル内には、第一粒子が第一の組成比で溶液に分散された分散液が充填され、外枠セル内には、溶液が充填されている事を特徴とする。
この構成によれば、外枠領域の色相を溶液の色相とする事ができる。従って、表示領域における第一粒子の色相を際立たせる事ができる。
【００１４】
（適用例７）  上記適用例に係わる電気泳動表示装置において、第一基板と第二基板とを有し、第一基板の表示領域となる領域には画素電極が設けられ、第一基板の外枠領域となる領域には画素電極が設けられていない事が好ましい。
この構成によれば、外枠領域に駆動回路や配線が形成されていても、外枠領域には画素電極が無く、電気泳動材料は電気泳動しないので、外枠領域の色相が乱されることはない。又、駆動回路が誤動作せず、更には高速動作も可能となる。又、配線での信号遅延も生じ難い。換言すると、高い表示品位と高速で正確な表示駆動動作とを両立させた電気泳動表示装置を実現できる。
【００１５】
（適用例８）  本適用例に係わる電気泳動表示装置の製造方法は、表示領域と、表示領域を囲む様に設けられた外枠領域と、を備えた電気泳動表示装置の製造方法であって、第一基板上で表示領域となる領域に表示セルを設け、外枠領域となる領域に外枠セルを設けるセル形成工程と、第一吐出部と第二吐出部とを有する吐出装置を用いて、第一粒子を含む第一成分を第一吐出部より表示セルと外枠セルとに注入する第一注入工程と、吐出装置を用いて、第二粒子を含む第二成分を第二吐出部より少なくとも表示セルに注入する第二注入工程と、を含む事を特徴とする。
この構成によれば、表示セルと外枠セルとで容易に第一成分と第二成分との比率を変える事ができる。一般に、第一成分と第二成分とが混合した溶液を、微少量で正確に吐出しようとすると、第一粒子と第二粒子とが吐出装置内で凝集して、吐出不良を起こしやすい。この構成によると、第一成分と第二成分とを分けて吐出するので、吐出装置内での凝集は生じ難く、塗布不良を著しく減少させる事ができる。
【００１６】
（適用例９）  上記適用例に係わる電気泳動表示装置の製造方法において、第二注入工程にて、更に、第二成分を第二吐出部より外枠セルに、第一粒子の重量と第二粒子の重量との和に対する第一粒子の重量比が、表示セルと外枠セルとでは異なる様に注入する事が好ましい。
この構成によれば、表示セルと外枠セルとで第二粒子の導入量を変える事で、容易に第一粒子の重量比を変える事ができる。従って、高い表示品位を有する電気泳動表示装置を容易に製造する事ができる。
【００１７】
（適用例１０）  上記適用例に係わる電気泳動表示装置の製造方法において、第一注入工程における第一成分の注入量が表示セルと外枠セルとでは異なる事が好ましい。
この構成によれば、表示セルと外枠セルとで第一粒子の重量を変える事で、容易に第一粒子の重量比を変える事ができる。従って、高い表示品位を有する電気泳動表示装置を容易に製造する事ができる。
【図面の簡単な説明】
【００１８】
【図１】実施形態１における電子機器の斜視図。
【図２】実施形態１に係わる電気泳動表示装置を説明した図で、（ａ）は電気泳動表示装置の構成を説明する平面図、（ｂ）は（ａ）のＡ−Ａ’における平面拡大図、（ｃ）はＡ−Ａ’における断面図。
【図３】実施形態１に係わる電気泳動表示装置の等価回路図。
【図４】実施形態１に係わる電気泳動表示装置の製造方法を説明した図。
【図５】外枠領域が表示領域に及ぼす影響を説明した図。
【図６】電子ペーパーの構成を示す斜視図。
【図７】電子ノートの構成を示す斜視図。
【図８】実施形態２に係わる電気泳動表示装置の一例を説明した図。
【図９】実施形態３に係わる電気泳動表示装置の一例を説明した図。
【図１０】変形例２に係わる電気泳動表示装置の一例を説明した図。
【図１１】変形例３に係わる電気泳動表示装置の一例を説明した図。
【発明を実施するための形態】
【００１９】
以下、本発明の実施形態について、図面を参照して説明する。尚、以下の各図においては、各層や各部材を認識可能な程度の大きさにするため、各層や各部材の尺度を実際とは異ならせしめている。
【００２０】
（実施形態１）
「電子機器の概要」
先ず、実施形態１に係わる電子機器と電気泳動表示装置との概要を、図１と図２とを参照して説明する。
【００２１】
図１は、本実施形態における電子機器の斜視図である。又、図２は本実施形態に係わる電気泳動表示装置を説明した図で、（ａ）は電気泳動表示装置の構成を説明する平面図、（ｂ）は（ａ）のＡ−Ａ’における平面拡大図、（ｃ）はＡ−Ａ’における断面図である。
【００２２】
図１に示す様に、本発明に係わる電子機器１００は、電気泳動表示装置１５０と、電子機器１００を操作するためのインターフェイスとを備えている。インターフェイスとは、具体的には操作部１２０で、スイッチなどから構成される。電気泳動表示装置１５０は表示領域１０と外枠領域６０とを有するディスプレイモジュールである。表示領域１０は複数の画素から成り、これらの画素が電気的に制御される事で表示領域１０に画像が表示される。表示領域１０の外側には表示領域１０を囲む様に外枠領域６０が設けられて、額縁を為している。
【００２３】
図２に示す様に、表示領域１０には隔壁２６で区画された表示セル２７１が設けられ、外枠領域６０には隔壁２６で区画された外枠セル２７６が設けられている。電気泳動表示装置１５０では、一対の基板間に二種類の粒子を有する分散液がこれらのセル２７に充填されている。二種類の粒子は第一粒子と第二粒子で、これらの内で、少なくとも一種類は正又は負に帯電した帯電粒子である。第一粒子は第一の色を呈し、第二粒子は第一の色とは異なる第二の色を呈している。第一粒子と第二粒子とは、液体に分散されて、分散液となっている。この分散液は電気泳動材料２４とも呼ばれる。ここでは、二種類の帯電粒子は第一極性に帯電した第一粒子と、第一極性と逆極性の第二極性に帯電した第二粒子とからなる。第一極性に帯電した第一粒子が正に帯電していれば、第二極性に帯電した第二粒子は負に帯電している。各画素に於いて、こうした分散液に適当な電界を印加して第一粒子と第二粒子とを電気泳動させる事で、画素毎に表示状態が制御され、表示領域１０に所望の画像が表示される。
【００２４】
表示セル２７１には第一粒子と第二粒子とを含む第一分散液が充填され、外枠セル２７６には少なくとも第一粒子を含む第二分散液が充填されている。第二分散液は更に第二粒子を含んでいても良い。この場合、第一粒子の重量と第二粒子の重量との和に対する第一粒子の重量の比（重量比Ｒ）は、第一分散液と第二分散液とでは異なっている。即ち、第一分散液に於いては、表示セル２７１に逆極性の電界を印加した際に第一の色と第二の色とのコントラスト比が大きくなる重量比とされている。一方、第二分散液に於いては、額縁として表示領域１０を引き立てたり、表示内容を見易く或いは読み易くしたりする重量比とされている。こうする事で、表示領域１０と一体感があって自然な感覚を使用者にもたらす額縁や、表示領域１０を引き立たせる額縁を外枠領域６０に形成する事ができ、高い表示品位を有する電気泳動表示装置１５０が実現する。尚、外枠セル２７６には第一粒子を含み、第二粒子を含まない第三分散液が充填されていても良い。分散液の組成に関しては後述する。
【００２５】
「電気泳動表示装置の構造」
次に、図２を用いて、本実施形態に係わる電気泳動表示装置の構造を説明する。
電気泳動表示装置１５０は第一基板８０と第二基板９０とを有する。表示領域１０には複数の画素２０が行列状に配置されている。第一基板８０で表示領域１０となる領域には、画素２０毎に画素電極２２と画素回路（図３（ｂ）参照）が形成され、第二基板９０にはほぼ全面に共通電極２３が形成されている。両基板間には、隔壁２６で区切られたセル２７が設けられ、このセル２７の内に電気泳動材料２４が充填されている。セル２７の外側にはシール材１１０が配置され、第一基板８０と第二基板９０とを接着すると共に、電気泳動材料２４を外部環境から隔離し、保護している。こうして電気泳動材料２４は画素電極２２と共通電極２３との間で電気泳動する事が可能になる。第二基板９０は透明で、使用者は第二基板９０側から電気泳動表示装置１５０を見る。本実施形態では、一例として、第一の色は白色で、白色の第一粒子は第一極性（正、プラス）に帯電しているものとし、第二の色は黒色で、黒色の第二粒子は第二極性（負、マイナス）に帯電しているものとする。従って、例えば、白表示をさせるには、図２（ｃ）の一番左の列に示される様に、白粒子を共通電極２３側に寄せ、黒粒子を画素電極２２側に寄せる。その結果、図２（ｂ）の一番左の列のセルに示される様に、第二基板９０側から見ると、白表示となる。
【００２６】
粒子の色に関しては、第一の色と第二の色との組み合わせは白黒に限らず、色相環（ｃｏｌｏｒ  ｃｉｒｃｌｅ）で正反対に位置する関係の色（相補的な色）の組み合わせとしても良い。例えば赤色粒子と緑色粒子との組み合わせや、黄色粒子と紫色粒子との組み合わせ、青色粒子と橙色粒子との組み合わせ、等にしても良い。その他にも赤色と緑色と青色との加法混色の三原色から適当な二色を組み合わせにしても良いし、或いは、シアンとマゼンタとイエローとの減法混色の三原色から適当な二色を組み合わせにしても良いし、更にはこれらの六色から適当な二色を組み合わせても良い。又、二種類の粒子の内で、一種類の粒子が正又は負に帯電しておれば、他方の種類の粒子は必ずしも帯電していなくても良い（他方の粒子は電気的に中性で有っても構わない）。どちらかの粒子が帯電していれば、電気泳動材料２４として機能するからである。但し、本実施形態の様に、第一粒子と第二粒子とが反対の極性に帯電していると、各画素に印加する電界に応じて、第一粒子と第二粒子とを素早く確実に分離させる事ができる。即ち、高コントラストの高品質画像を迅速に形成できる。尚、上述の例とは反対に、第一粒子が負に帯電し、第二粒子が正に帯電していても良い。更には、正に帯電した第一粒子と、負に帯電した第二粒子と、帯電してない中性の第三粒子を含む三粒子系であっても良い。
【００２７】
表示領域１０に於いて、隔壁２６は各画素を区分けする様に第一基板８０に設けられる。その結果、一つの表示セル２７１が一つの画素２０となり、表示セル２７１毎に画素電極２２が形成される。表示セル２７１の形状は平面視にて四角形で、ほぼ正方形である。これは本実施形態の電子機器１００が電子書籍に使用され、白黒表示とされるからである。カラー表示する場合は、表示セル２７１の形状は短辺が長辺の３分の１となる長方形であっても良い。尚、表示セル２７１のサイズと画素２０のサイズとは必ずしも一致しなくても良い。一つの画素２０の中に複数の表示セル２７１が入っていても良いし、その反対に一つの表示セル２７１の中に複数の画素２０が入っていても良い。升状の表示セル２７１の内部には第一分散液が充填されている。
【００２８】
外枠領域６０に於いても、隔壁２６が外枠セル２７６を形成する様に第一基板８０に設けられる。外枠セル２７６も表示セル２７１と同じサイズの四角形である。但し、外枠領域６０には、第一基板８０に画素電極２２が設けられていない。従って、外枠領域６０では、電気泳動材料２４は電気泳動せず、常に一定の色となる。この色を表示領域１０が引き立ったり、或いは表示領域１０のコントラスト比が高く見たりする色となる様に第二分散液の重量比Ｒが定められる。結局、表示領域１０を為す複数の画素電極２２を覆う様に設けられたセル２７が表示セル２７１であり、表示領域１０の外側で画素電極２２が形成されていない領域に設けられたセル２７が外枠セル２７６である。升状の外枠セル２７６の内部には第二分散液が充填されている。尚、第一分散液における重量比をＲ1と表記し、第二分散液における重量比をＲ2と表記した際に、Ｒ1とＲ2とは、数式３の関係式を満たす事が好ましい。
【００２９】
【数３】
0005765137.tif 000004
【００３０】
セル２７の一辺は１０μｍから１ｃｍの範囲にあり、その深さは２０μｍから１００μｍの範囲に有るのが好ましい。好適例としては、セル２７の一辺が画素２０の一辺と同じ７１μｍ（３６０ｄｐｉ）で、その深さは５０μｍである。又、隔壁２６の厚みは２μｍから１００μｍの範囲に有るのが好ましく、最適には３μｍから３０μｍの範囲で、好適例としては５μｍである。隔壁２６が設けられた領域は表示に寄与しないが、セル２７の一辺が１０μｍ以上で有れば、隔壁２６の割合を２０％未満と小さくでき、コントラスト比が高い電気泳動表示装置１５０とする事ができる。第一基板８０と第二基板９０との間隔（セル２７の深さ）が１００μｍ以下であるので、セル２７の一辺が１ｃｍ以下で有れば、電気泳動表示装置１５０を垂直に立てても電気泳動材料２４が重力により下方に沈殿する事を抑制できる。即ち、電子機器１００を立てて使用しても支障がでない。セル２７の深さが２０μｍ以上で有れば、第一粒子と第二粒子とを縦方向で分離できるので、十分に高いコントラスト比が得られる。セル２７の深さが１００μｍ以下で有れば、帯電粒子の電気泳動距離が短くなるので、１秒以下の短時間で画像を書き換えられる。隔壁２６の厚みが２μｍ以上で有れば、フォトリソグラフィーとエッチングとを用いる伝統的な手法で簡単に隔壁２６を形成でき、しかも製造工程に耐え得る強い隔壁２６とする事ができる。隔壁２６の厚みが１００μｍ以下であれば、人間の目に視認され難くなる。尚、好適例でのセル２７の容積は２１８ピコリットルである。
【００３１】
「回路構成」
図３（ａ）は本実施形態に係わる電気泳動表示装置の表示領域と駆動回路との構成を示す回路ブロック構成図であり、（ｂ）は画素の電気的な構成を示す等価回路図である。次に、図３を用いて本実施形態に係わる電気泳動表示装置１５０の駆動回路を説明する。
【００３２】
図３（ａ）に示されている様に、表示領域１０には、ｍ行×ｎ列分の画素２０が行列状（二次元平面的）に配列されている。又、表示領域１０には、ｍ本の走査線３０（即ち、走査線Ｙ１、Ｙ２、…、Ｙｍ）と、ｎ本のデータ線４０（即ち、データ線Ｘ１、Ｘ２、…、Ｘｎ）とが互いに交差するように設けられている。具体的には、ｍ本の走査線３０は行方向（即ち、Ｘ方向）に延在し、ｎ本のデータ線４０は列方向（即ち、Ｙ方向）に延在している。ｍ本の走査線３０とｎ本のデータ線４０との交差点に対応して画素２０が配置されている。
【００３３】
表示領域１０の外側には駆動回路７０が設けられている。駆動回路７０は、コントローラー７１や走査線駆動回路７２、データ線駆動回路７３、共通電位供給回路７４などから構成されている。コントローラー７１は、走査線駆動回路７２とデータ線駆動回路７３、及び共通電位供給回路７４の動作を制御し、クロック信号やタイミング信号等の各種信号を各回路に供給する。こうした駆動回路７０の一部或いは全部が外枠領域６０となり、これらの回路を覆う様に外枠セル２７６が形成される。
【００３４】
走査線駆動回路７２は、コントローラー７１から供給されるタイミング信号に基づいて、走査線Ｙ１、Ｙ２、…、Ｙｍの各々に走査信号をパルス的に順次供給する。データ線駆動回路７３は、コントローラー７１から供給されるタイミング信号に基づいて、データ線Ｘ１、Ｘ２、…、Ｘｎに画像信号を供給する。画像信号は、高電位ＶH（例えば１５Ｖ）と低電位ＶL（例えば−１５Ｖ）との間で多値的な電位をとる。尚、本実施形態では、画像信号は二値であり、第一表示（白の表示）に書き換えられる画素２０に対して高電位ＶHの画像信号が供給され、第二表示（黒の表示）に書き換えられる画素２０に対して低電位ＶLの画像信号が供給される。
【００３５】
共通電位供給回路７４は、共通電位線５０に共通電位Ｖcomを供給する。尚、共通電位Ｖcomは一定の電位であっても良いし、例えば書き込む階調やフレームに応じて変えても良い。本実施形態では、共通電位Ｖcomが総ての電位に対する基準電位となり、共通電位を０Ｖとしている。従って、先の高電位ＶH（例えば１５Ｖ）や低電位ＶL（例えば−１５Ｖ）はそのまま共通電位Ｖcomに対する電位差ともなる。尚、コントローラー７１、走査線駆動回路７２、データ線駆動回路７３及び共通電位供給回路７４には、各種の信号が入出力されるが、本実施形態と特に関係のない物については説明を省略している。
【００３６】
図３（ｂ）の回路図に示される様に、画素２０は、画素スイッチング用トランジスター２１と、画素電極２２と、共通電極２３と、電気泳動材料２４と、保持容量２５とを備えている。
【００３７】
画素スイッチング用トランジスター２１は、例えばＮ型トランジスターで構成されている。ここでは上ゲート型の薄膜トランジスターが採用されているが、下ゲート型の薄膜トランジスターで有っても構わない。画素スイッチング用トランジスター２１は、そのゲートが走査線３０に電気的に接続されており、そのソースがデータ線４０に電気的に接続されており、そのドレインが画素電極２２及び保持容量２５の一端に電気的に接続されている。保持容量２５は、誘電体膜を介して対向配置された一対の電極からなり、一方の電極（一端）が、画素電極２２及び画素スイッチング用トランジスター２１に電気的に接続され、他方の電極（他端）が共通電位線５０に電気的に接続されている。この保持容量２５によって画像信号を一定期間だけ維持することができる。画素スイッチング用トランジスター２１は、データ線駆動回路７３からデータ線４０を介して供給される画像信号を、走査線駆動回路７２から走査線３０を介してパルス的に供給される走査信号に応じたタイミングで、画素電極２２及び保持容量２５に出力する。
【００３８】
画素電極２２には、データ線駆動回路７３からデータ線４０及び画素スイッチング用トランジスター２１を介して、画像信号が供給される。画素電極２２は、電気泳動材料２４を介して共通電極２３と互いに対向するように配置されている。共通電極２３は、共通電位Ｖcomが供給される共通電位線５０に電気的に接続されている。共通電極２３は、画素電極２２が形成された第一基板８０に対向する第二基板９０に設けられ、電気泳動粒子は図２（ｃ）に示す断面図の上下方向で電気泳動する。尚、共通電極２３を画素電極２２が形成された第一基板８０に設けて、電気泳動粒子が図２（ｃ）の断面図の水平方向（図２（ｃ）の左右方向）に電気泳動する構成としても良い。
【００３９】
「電気泳動表示装置の製造方法」
図４は本実施形態に係わる電気泳動表示装置の製造方法を説明した図である。次に、図４を用いて、製造方法を説明する。
まず、第一基板８０に薄膜トランジスターや薄膜キャパシターなどの薄膜素子を用いて、画素スイッチング用トランジスター２１や駆動回路７０を形成する。その際に、画素２０には画素電極２２が配置される。次いで、隔壁２６を形成する。隔壁２６は、電気泳動材料２４に用いられている溶媒に溶解しない材料であり、有機物か無機物かは問われない。具体的に、有機物材料の例としては、ウレタン樹脂、ウレア樹脂、アクリル樹脂、ポリエステル樹脂、シリコーン樹脂、アクリルシリコーン樹脂、エポキシ樹脂、ポリスチレン樹脂、スチレンアクリル樹脂、ポリオレフィン樹脂、ブチラール樹脂、塩化ビニリデン樹脂、メラミン樹脂、フェノール樹脂、フッ素樹脂、ポリカーボネート樹脂、ポリスルフォン樹脂、ポリエーテル樹脂、ポリアミド樹脂、ポリイミド樹脂等を挙げられる。これらの樹脂単体又は二種類以上の複合剤を使用する。隔壁２６の作製方法は特に問われないが、好適例としては、第一基板８０に形成した膜をフォトリソグラフィーとケミカルエッチングを用いて加工する。その他に、加熱された熱可塑性樹脂に凹凸形状を持つ型を押しつけて形成しても良いし、更にはセルが形成されたシートを第一基板８０に貼り合わせても良い。或いは、溶媒などにより流動性を持たせた樹脂をスクリーン印刷法やグラビア印刷法などのウェットプロセスによって配置する事で、隔壁２６を形成しても良い。
【００４０】
隔壁２６を形成する事で、第一基板８０上にはセル２７が形成される。即ち、表示領域１０となる領域には表示セル２７１が設けられ、外枠領域６０となる領域には外枠セル２７６が設けられる。このセル形成工程が終了した後に、表示セル２７１には第一分散液が充填され、外枠セル２７６には第二分散液が充填される。この充填作業は、第一吐出部１３１と第二吐出部１３２とを有する吐出装置を用いて行われる。吐出装置の最適例はインクジェット方式の吐出装置であるが、この他にもディスペンサー式の吐出装置やスクリーン印刷方式の吐出装置を適用しても良い。ここでは、微小領域を高精度で描画可能なインクジェット方式の吐出装置を用いた。第一吐出部１３１からは、第一粒子を含む第一成分２４１が吐出される。同様に、第二吐出部１３２からは、第二粒子を含む第二成分２４２が吐出される。更に、吐出装置は第三吐出部１３３を備えているのが好ましく、第三吐出部１３３からは第三成分２４３が吐出される。第三成分２４３は、第一粒子も第二粒子も含まず、電気泳動材料２４の一組成となる溶液である。
【００４１】
第一粒子は白色顔料の酸化チタンであり、第一成分２４１はシリコーンオイルを溶媒として、白色顔料の酸化チタンを２１．２ｗｔ％含んでいる。第二粒子は黒色顔料のチタンブラックであり、第二成分２４２はシリコーンオイルを溶媒として、黒色顔料のチタンブラックを２６．５ｗｔ％含んでいる。第三成分２４３はシリコーンオイルの溶媒である。充填作業は、第一成分２４１を第一吐出部１３１から表示セル２７１と外枠セル２７６とに注入する第一注入工程と、第二成分２４２を第二吐出部１３２から少なくとも表示セル２７１に注入する第二注入工程と、第三成分２４３を第三吐出部１３３から表示セル２７１と外枠セル２７６とに注入する第三注入工程と、を含んでいる。第一注入工程では、第一成分２４１の注入量が表示セル２７１と外枠セル２７６とでは異なる様にしても良い。第二注入工程では、第二成分２４２を外枠セル２７６に注入しても良い。この際に、第一粒子の重量と第二粒子の重量との和に対する第一粒子の重量比が、表示セル２７１と外枠セル２７６とでは異なる様に注入する。
【００４２】
インクジェット方式の吐出装置では、吐出部（ノズル）の口径や吐出部に供給する電圧値やその波形などを変える事で、一回の吐出量を０．１ピコリットル程度から１００ピコリットル程度との幅広い範囲で変える事ができる。ここでは、一回の吐出量が２２ピコリットルとなる様に調整した。好適例でのセル２７の容積は２１８ピコリットルであるので、好適例では一つのセル２７に合計で１０回の吐出が為される。詳細は後述するが、第一分散液における白粒子の重量パーセントの好適例は１０．６ｗｔ％であり、黒粒子の重量パーセントの好適例は５．３ｗｔ％である。こうした組成にするには、表示セル２７１に第一成分２４１を５回吐出し、第二成分２４２を２回吐出し、第三成分２４３を３回吐出すれば良い。又、第二分散液における白粒子の重量パーセントの好適例は２．１ｗｔ％であり、黒粒子の重量パーセントの好適例は５．３ｗｔ％である。こうした組成にするには、外枠セル２７６に第一成分２４１を１回吐出し、第二成分２４２を２回吐出し、第三成分２４３を７回吐出すれば良い。尚、好適例における重量比はＲ1＝０．６６７で、Ｒ2＝０．２８５で、（１／Ｒ2−１）／（１／Ｒ1−１）＝５となる。
【００４３】
インクジェット方式の吐出装置で、インクや電気泳動材料２４の様なチキソトロピー性を有する液体や分散液を容易に且つ安定的に吐出できる粘度範囲は大凡３ｍＰａｓから３０ｍＰａｓである。吐出される液体が溶剤と云った非分散系溶液でチキソトロピー性が小さければ、吐出可能な粘度範囲の下限は０．８ｍＰａｓ程度に下がる。一方、電気泳動材料２４が高速で電気泳動する動粘度は４ｍｍ2／ｓ程度以下であり、第一分散液の好適例での動粘度は２．５ｍｍ2／ｓ程度であった。動粘度は粘度を比重で除した値である。電気泳動材料２４の比重は０．８ｇ／ｃｍ3から１．２ｇ／ｃｍ3程度であり、第一分散液の好適例に於いては０．９２ｇ／ｃｍ3であった。従って、電気泳動材料２４が高速で電気泳動する粘度は、殆どの材料で４．８ｍＰａｓ以下であり、普通は３ｍＰａｓ以下となる。実際に第一分散液の好適例の粘度は２．３ｍＰａｓであった。こうした材料をインクジェット方式の吐出装置で吐出するのは、上述の粘度範囲を外れている為に、容易ではなく、吐出不良も生じ易い。一方、第一成分２４１や第二成分２４２は、粒子の重量パーセントを第一分散液よりも高める事で、これらの粘度を３ｍＰａｓ程度以上に調整されている。その為にインクジェット方式の吐出装置で、第一成分２４１や第二成分２４２は容易に且つ安定的に吐出される。第三成分２４３は溶剤で、粘度が２ｍＰａｓ程度なので、矢張り容易に且つ安定的に吐出される。この様に、本実施形態に則すると、本来インクジェット方式の吐出装置で吐出し難い電気泳動材料２４を、容易に且つ安定的に吐出できる様になる。
【００４４】
セル２７に第三成分２４３とその他の成分とを吐出する場合には、最初に第三成分２４３を吐出するのが好ましい。第三成分２４３には粒子が含まれていないので、ノズル詰まりは生じず、安定的に吐出できる。この第三成分２４３を最初に吐出する事で、吐出領域は溶媒雰囲気となる。こうすると、その後に粒子を含む他の成分を吐出する際にも、溶媒の蒸発が抑制される為にノズルでの粒子の凝集が起こり難くなり、比較的安定的に他の成分も吐出できるからである。また、セル２７に第三成分２４３が溜まった状態で、粒子を含む他の成分が吐出されるので、セル２７内で溶媒が蒸発して粒子がセル２７の隔壁２６や底面に固形物として凝集してしまう恐れは殆ど無くなる。即ち、充填作業期間に渡って第一分散液や第二分散液をセル２７の内部で安定に保つ事ができる。
【００４５】
セル２７に、第一成分２４１や第二成分２４２等と云った第三成分２４３以外の成分と共に、第三成分２４３を複数回吐出する場合には、最初の一回の吐出と最後の一回の吐出は第三成分２４３の吐出とし、これらの間に第三成分２４３以外の成分の吐出を行うのが好ましい。最初の一回の吐出を第三成分２４３とする効果は前述の如くである。最後の一回の吐出を第三成分２４３とするのは、粒子が収納されたセル２７を第三成分２４３の溶剤で覆う為である。こうする事で、次の封止工程が為されるまでの期間に電気泳動材料２４をセル２７の内部で安定に保つ事ができ、セル２７毎の電気泳動材料２４の表面状態を揃えられる。又、隔壁２６の上面（第二基板９０との接合面）に粒子が付きにくく、次の封止工程や接着工程での不良を削減できる。本実施形態では、一つの表示セル２７１に第一分散液を充填するのに、最初に第三成分２４３を２回吐出し、次いで第一成分２４１を５回吐出し、次に第二成分２４２を２回吐出し、最後に再度第三成分２４３を１回吐出した。又、一つの外枠セル２７６に第二分散液を充填するのに、最初に第三成分２４３を６回吐出し、次いで第一成分２４１を１回吐出し、次に第二成分２４２を２回吐出し、最後に再度第三成分２４３を１回吐出した。尚、吐出の順番はこれに限定されるものではなく、その他のあらゆる順列が可能である。例えば、第一成分２４１の一回の吐出をＦで表記し、第二成分２４２の一回の吐出をＳで表記し、第三成分２４３の一回の吐出をＴで表記した場合、ＦＦＦＦＦＳＳＴＴＴとしても良いし、ＦＳＦＴＦＳＦＴＦＴとしても良いし、ＦＳＴＦＳＴＦＴＦＦとしても良い。
【００４６】
表示領域１０と外枠領域６０とを合わせた領域がＡ４サイズ（縦２９７ｍｍ×横２１０ｍｍ）で、精細度を３６０ｄｐｉとした場合、セル２７は、縦に４２０９個並び、横に２９７６個並ぶので、総数は１２、５２５、９８４個となる。一つのセル２７に１０回の吐出を行うので、総吐出数は１２５、２５９、８４０回となる。インクジェット方式の吐出装置は１ｋＨｚから１００ｋＨｚ程度の駆動周波数で吐出できる。吐出部は１ヘッド当たり最大で２００個程度設けられ、吐出装置一台当たりヘッド数は１から５０程度なので、吐出装置一台当たりの吐出部総数は１００個程度から１０、０００個程度となる。本実施形態の吐出装置では、駆動周波数が１０ｋＨｚで、吐出部総数が１０００個であった。従って、１秒間に１０００万回の吐出が為され、Ａ４サイズの領域への電気泳動材料２４の充填は１２．５秒程度で終了する。
【００４７】
セル２７に電気泳動材料２４が充填された後に、封止工程としてセル２７の上を封止する。封止工程では、封止膜となる前駆体樹脂を電気泳動材料２４の表面に浮かべ、次いで重合処理や架橋処理を施して前駆体樹脂を反応させ、高分子からなる封止膜を形成する。最後に、接着工程として、封止膜上に接着剤を塗布し、共通電極２３が形成された第二基板９０を貼り合わせる。第二基板９０はポリエステルフィルムなどである。尚、隔壁２６を第二基板９０に形成しても良い。即ち、第二基板９０にセル形成工程や第一注入工程、第二注入工程、第三注入工程、封止工程などを上述の如く施し、接着工程で画素電極２２が形成された第一基板８０を貼り合わせても良い。又、電気泳動材料２４が３種類以上の複数種類の粒子を含んでいる場合も、粒子毎に分散液を作り、粒子毎の専用吐出部から吐出される。その場合、矢張り、溶剤のみを含む第三成分２４３を作り、最初の一回の吐出と最後の一回の吐出は第三成分２４３の吐出とする。
【００４８】
従来は、第一粒子と第二粒子とが分散された溶液を塗布していた。この場合、第一粒子と第二粒子とが吐出装置内（例えば流路や吐出部のノズル）で凝集して、塗布不良を起こすとの課題があった。これに対して、本実施形態に記述した電気泳動表示装置１５０の製造方法では、第一成分２４１と第二成分２４２と第三成分２４３とを分けて吐出し、セル２７内で電気泳動材料２４とするので、吐出装置内での凝集は生じ難く、塗布不良を著しく減少させる事ができる。又、第一成分２４１では第一粒子が均一に分散しており、第二成分２４２では第二粒子が均一に分散しているので、表示領域１０や外枠領域６０と云った塗布面全領域に於いて均一な分散液（第一成分２４１や第二成分２４２）を塗布する事ができ、その結果、電気泳動表示装置１５０の表示特性も均一になる。更に、第一成分２４１や第二成分２４２の保存安定性が高いので、吐出装置内でこれらを攪拌させる必要が無く、吐出装置を簡単な構成にする事ができる。又、第一成分２４１や第二成分２４２、第三成分２４３の保存安定性が高いので、電気泳動材料２４に分散安定剤などを添加しなくても良い。分散安定剤は電気泳動表示装置１５０に表示された画像の保持性を落とすので、本実施形態の電気泳動表示装置１５０は優れた画像保持性を示す事になる。更に、第三成分２４３を第一成分２４１と第二成分２４２とに添加して電気泳動材料２４としているので、第一成分２４１と第二成分２４２は塗布性に優れた分散液とし、電気泳動材料２４は電気泳動性に優れた分散液とする事ができる。
【００４９】
「分散液組成」
図５は外枠領域が表示領域に及ぼす影響を説明した図である。以下、図５を用いて分散液組成を説明する。
図５に示す様に、人間は錯覚する為に、同じ対象物であっても、状況に応じて色合いや階調が異なる様に感じられる。図５（ａ）も図５（ｂ）も表示領域１０は同じ灰色の階調である。ところが、外枠領域６０の明暗に応じて、表示領域１０は異なって見える。図５（ａ）では外枠領域６０が白に近い灰色で、図５（ｂ）では外枠領域６０が黒に近い灰色となっている。この場合、図５（ｂ）の表示領域１０の方が図５（ａ）の表示領域１０よりも明るく（より白く）見える。この様に外枠領域６０の色合いを変える事で、使用者に表示領域１０をより見易くさせたり、コントラスト比が高く感じたりさせる事が可能になる。こうした効果が現れる分散液組成に関して説明する。
【００５０】
まず、第一粒子も第二粒子も球として、コントラスト比の高い電気泳動表示装置１５０を実現する上で必要となる電気泳動材料２４の組成（第一分散液の組成）を考える。第一粒子（白粒子）の比重をρW、白粒子の半径をｒW、第二粒子（黒粒子）の比重をρB、黒粒子の半径をｒBとすると、黒粒子の断面積は数式４で表される。
【００５１】
【数４】
0005765137.tif 000005
【００５２】
平面を円が細密充填した際に、円の面積割合は数式５である。
【００５３】
【数５】
0005765137.tif 000006
【００５４】
従って、細密充填した際に黒粒子が専有する面積は、数式４を数式５にて除して、数式６となる。
【００５５】
【数６】
0005765137.tif 000007
【００５６】
セル２７の一辺の長さをＬで表記すると、セル２７の面積はＬ2で有るので、セル２７を総て平面的に覆い尽くすのに必要な粒子数は、数式７にて表される。
【００５７】
【数７】
0005765137.tif 000008
【００５８】
必要な黒粒子の層数をＮBで表すと、必要な黒粒子の総数は数式８となる。
【００５９】
【数８】
0005765137.tif 000009
【００６０】
黒粒子一個の重量は、数式９である。
【００６１】
【数９】
0005765137.tif 000010
【００６２】
従って、セル２７内の黒粒子の総重量は数式８と数式９との積で、数式１０となる。
【００６３】
【数１０】
0005765137.tif 000011
【００６４】
セル２７の深さをｄにて表し、セル２７には白粒子と黒粒子とを入れ、溶剤の比重をρSとすると、セル２７を充満する溶剤の重量は、セル２７の体積から白粒子の体積と黒粒子の体積とを減じた体積に溶剤の密度を乗じ、数式１１となる。
【００６５】
【数１１】
0005765137.tif 000012
【００６６】
数式１０と数式１１とから、電気泳動材料２４の全体（溶剤＋黒粒子＋白粒子）の重量は、数式１２となる。
【００６７】
【数１２】
0005765137.tif 000013
【００６８】
電気泳動材料２４の全体の重量に対する黒粒子重量の割合ＷBは、数式１０を数式１２にて除して、数式１３となる。
【００６９】
【数１３】
0005765137.tif 000014
【００７０】
同様に分散液全体重量に対する白粒子重量の割合ＷWは、数式１４となる。
【００７１】
【数１４】
0005765137.tif 000015
【００７２】
ちなみに、白粒子（第一粒子）重量と黒粒子（第二粒子）重量との和に対する白粒子（第一粒子）重量の割合Ｒは数式１５となる。
【００７３】
【数１５】
0005765137.tif 000016
【００７４】
ＮB＝ＮW＝１で有ると、数式５により隙間が９．３１％存在するので、白粒子の反射率が８０％で、黒粒子の反射率０％と云った理想系であっても、黒表示の反射率は７．４％となり、白表示の反射率は７２．６％となる。白粒子も黒粒子も１層しかなければ、隙間によってコントラスト比を落としてしまう。粒子２層で細密充填すれば、理論上は、表面は完全に覆い尽くされるので、理想系では、黒表示の反射率は０％で、白表示の反射率は８０％となる。従って、黒粒子も白粒子も最低でも２層分は電気泳動材料２４に含まれているのが好ましい。黒粒子に関しては入射光を吸収すれば良いので、原理的には黒粒子２層分で黒表示となり得るが、その他の色の粒子では、入射光が複数回の反射を繰り返して反射光として出射されねばならない。従って、白粒子など黒以外の色粒子の場合は、黒粒子の１．５倍程度から４倍程度は電気泳動材料２４に含まれているのが好ましい。好適例としては２倍である。即ち、電気泳動表示装置１５０に最低限必要な黒粒子の層数ＮBと、最低限必要な白粒子（黒以外の色の粒子）の層数ＮWとは、数式１６で表される。
【００７５】
【数１６】
0005765137.tif 000017
【００７６】
従って、理想系で黒表示の反射率を０％とする為の黒粒子の最低量ＷBminは、数式１７となり、電気泳動材料２４の全体の重量に対する黒粒子重量の割合ＷBは、ＷBmin以上とされねばならない。
【００７７】
【数１７】
0005765137.tif 000018
【００７８】
同様に、理想系で白表示の反射率を高める為の白粒子の必要最低量ＷWminは、数式１８となり、電気泳動材料２４の全体の重量に対する白粒子重量の割合ＷWは、ＷWmin以上とされねばならない。
【００７９】
【数１８】
0005765137.tif 000019
【００８０】
本実施形態では、ｒB＝ｒW＝０．１μｍ、ｄ＝５０μｍ、ρB＝ρW＝４ｇ／ｃｍ3、ρS＝０．８ｇ／ｃｍ3であるので、ＮB＝２でＮW＝４の際のＷBminは２．３ｗｔ％となり、ＷWminは４．６ｗｔ％となる。理想系では上述の通りだが、実際には、白粒子と黒粒子とが電気泳動材料２４中で凝集したり、隔壁２６などに吸着されたりするので、ＮBやＮWの値はもっと大きい方が好ましい。実験によると、ＮBを３、４、５と増やすに従い黒表示の反射率が低下し、５以上は殆ど変わらなかった。従って、ＮBの最適値は５であり、好ましい範囲は３以上７以下である。前述の如く、ＮWはＮBの２倍程度以上が良く、実際に実験ではＮWを増やすに従い白表示の反射率が向上し、１０以上で反射率の向上は緩やかになった。従って、ＮWの最適値は１０であり、好ましい範囲は６以上２１以下である。ＮB＝５でＮW＝１０の際のＷBは５．３ｗｔ％となり、ＷWは１０．６ｗｔ％となり、これらが前述の第一分散液の組成である。この組成で画素電極２２を＋１５Ｖの電位とし、共通電極２３を０Ｖとすると、その画素は白表示し、反射率は４５％であった。又、画素電極２２を０Ｖとし、共通電極２３に１５Ｖとすると、その画素は黒表示し、反射率は６％であった。
【００８１】
次に、外枠領域６０に導入される第二分散液や第三分散液の組成を説明する。第三分散液では、外枠セル２７６に第一粒子か第二粒子の一種類の粒子を含んだ分散液が充填される。外枠セル２７６に白粒子だけを含む第三分散液を充填した場合、外枠領域６０の反射率は８０％となり、多少灰色がかった黒（例えば反射率が８％程度以上の黒表示）が表示領域１０に表示されても、反射率が低い深い黒の様に使用者に感じさせる事ができる。反対に外枠セル２７６に黒粒子だけを含む第三分散液を充填した場合、外枠領域６０の反射率はほぼ０％となり、多少灰色がかった白（例えば反射率が４０％程度以下の白表示）が表示領域１０に表示されても、反射率が高い明るい白の様に使用者に感じさせる事ができる。
【００８２】
外枠セル２７６に第二分散液を充填する場合には、第一分散液における重量比をＲ1と表記し、第二分散液における重量比をＲ2と表記した際に、Ｒ1とＲ2とは、数式１９の関係式を満たす事が好ましい。
【００８３】
【数１９】
0005765137.tif 000020
【００８４】
第一分散液における第一粒子の重量をａ1とし、第二粒子の重量をｂ1とする。同様に第二分散液における第一粒子の重量をａ2とし、第二粒子の重量をｂ2とする。又、αとβとをａ2＝αａ1、ｂ2＝βｂ1と定義する。こうするとβ／αは数式２０にて表現される。
【００８５】
【数２０】
0005765137.tif 000021
【００８６】
従って数式１は、第二分散液における第一粒子の第二粒子に対する割合を、第一分散液における第一粒子の第二粒子に対する割合の倍以上にするか、或いは半分以下にする、との意味となる。こうする事で表示品位が向上したり、表示領域１０を効率的に使用できたりする様になる。例えば、Ｒ1＝０．６６７の好適例に於いて、Ｒ2＝０．９３８とすると、β／α＝０．１３３となり、外枠領域６０は反射率４５％の白となる。これは表示領域１０で白表示をさせた時の反射率に等しく、外枠領域６０を余白として利用できる訳である。従来は表示領域１０の内側に余白を設けていたが、本実施形態の電気泳動表示装置１５０では、外枠領域６０の余白により、表示領域１０の最外周まで文字を表示できる。即ち、外枠領域６０を、表示領域１０が白表示した時と同じ色相となる様に第二分散液を定めても良い。尚、第二分散液の反射率は白粒子の割合（Ｒ2）×白反射率（好適例に於いては８０％）×補正係数（実験によると０．６程度）と表記できる。補正係数とは、黒粒子は一回光が当たれば吸収して黒になるのに対し、白は、光が白粒子に複数回反射して人間の目に到る必要がある為に、第二分散液の反射率が白粒子の割合×白反射率の値よりも小さくなる点を補正するものである。
【００８７】
Ｒ2に関する他の好適例としては、Ｒ1＝０．６６７の好適例に於いて、Ｒ2＝０．８３３とすると、β／α＝０．４となり、外枠領域６０は反射率４０％のやや灰色掛かった白となる。この様に外枠領域６０を、表示領域１０が白表示した時よりもやや反射率が低くなる様に第二分散液を定めても良い。こうすると使用者には表示領域１０での白表示がより白く思え、表示領域１０での黒表示がより黒く見えるので、使用者にコントラスト比が高い様に感じさせる事ができる。この効果が働くのは、Ｒ2＝０．８、β／α＝０．５、外枠領域６０の反射率３８％程度までであり、それ故に数式１に示す様に、β／αは０．５未満となる。
【００８８】
Ｒ2に関する他の好適例としては、Ｒ1＝０．６６７の好適例に於いて、Ｒ2＝０．１２５とすると、β／α＝１４となり、外枠領域６０は反射率６％の黒となる。これは表示領域１０で黒表示をさせた時の反射率に等しくなる。電子書籍では、目の疲労を避けるために黒地に白の文字を表示させるのを好む使用者がいる。こうした場合、外枠領域６０を黒い欄外（黒の余白）として利用できる。即ち、外枠領域６０を、表示領域１０が黒表示した時と同じ色相となる様に第二分散液を定めても良い。
【００８９】
Ｒ2に関する他の好適例としては、Ｒ1＝０．６６７の好適例に於いて、Ｒ2＝０．２８５とすると、β／α＝５となり、外枠領域６０は反射率１３．７％のやや灰色掛かった黒となる。この様に外枠領域６０を、表示領域１０が黒表示した時よりもやや反射率が高くなる様に第二分散液を定めても良い。こうすると表示領域１０での白表示がより白く思え、表示領域１０での黒表示がより黒く見えるので、使用者にコントラスト比が高い様に感じさせる事ができる。この効果が働くのは、Ｒ2＝０．５、β／α＝２、外枠領域６０の反射率２４％程度までであり、それ故に数式１に示す様に、β／αは２以上となる。
【００９０】
次に第一分散液などの電気泳動材料２４の基材を説明する。電気泳動材料２４は、主として、第一粒子や第二粒子と言った着色粒子と溶媒とその他添加剤とから構成される。着色粒子には、顔料その物と、樹脂系微粒子に顔料や染料と云った色材を混ぜ合わせた物と、がある。顔料や染料と云った色材としては、次の様な物が挙げられる。黒色色材としては、アニリンブラックやカーボンブラック、チタンブラック等の黒色顔料や黒色染料が使用される。白色色材としては、酸化チタンや酸化アンチモン等の白色顔料が使用される。黄色色材としては、モノアゾ等のアゾ系顔料やイソインドリノン、黄鉛等の黄色顔料や黄色染料が使用される。赤色色材としては、キナクリドンレッドやクロムバーミリオン等の赤色顔料や赤色染料が使用される。青色色材としては、フタロシアニンブルーやインダスレンブルー等の青色顔料や青色染料が使用される。緑色色材としては、フタロシアニングリーン等の緑色顔料や緑色染料が使用される。
【００９１】
顔料その物を着色粒子として使用する際には、顔料をそのまま使用しても良いし、顔料粒子の表面を樹脂材料や他の顔料で被覆して使用しても良い。顔料粒子の表面を他の顔料で被覆した粒子としては、例えば、酸化チタン粒子の表面を、酸化珪素や酸化アルミニウムで被覆した物が挙げられる。この粒子は白色粒子として好適である。樹脂系微粒子には、アクリル系樹脂やウレタン系樹脂、尿素系樹脂、エポキシ系樹脂、ポリスチレン、ポリエステル、ポリエチレン、ポリプロピレン等が挙げられ、これらの内の一種又は二種以上を組み合わせて用いられる。尚、色材を混ぜ合わせた樹脂系微粒子とは、顔料や染料と樹脂材料とを適当な組成比で混合して微粒子とした物の他に、樹脂微粒子の表面を顔料や染料で被覆した物をも含む。これらの着色粒子の表面は高分子ポリマーなどの有機物で修飾しても良い。着色粒子は、分散安定性の観点から、小さい物が好ましい。具体的には、その平均粒径が１０ｎｍ程度から３μｍ程度の範囲にある物が好ましく、１００ｎｍ程度から１μｍ程度の範囲にある物がより好ましい。粒子の比重は、分散安定性の観点から、溶媒の比重に近い物が好ましい。
【００９２】
溶媒としては、高絶縁性の有機溶媒が好ましい。高絶縁性の有機溶媒としては、特に限定されるわけではないが、ｏ−キシレンやｍ−キシレン、ｐ−キシレン、トルエン、ベンゼン、ドデシルベンゼン、ヘキシルベンゼン、フェニルキシリルエタン、ナフテン系炭化水素などの芳香族系炭化水素類、或いはシクロへキサンやｎ−ヘキサン、ケロシン、パラフィン系炭化水素などの脂肪族炭化水素類、或いは酢酸エチルや酢酸ブチルなどの各種エステル類、或いはアセトンやメチルエチルケトン、メチルイソブチルケトン等のケトン類、或いはメタノールやエタノール、イソプロパノール、オクタノール、メチルセルソルブなどのアルコール系溶剤、或いはクロロブタンやクロロホルム、トリクロロエチレン、トリクロロフルオロエチレン、トリクロロエタン、四塩化炭素、シクロヘキシルクロライド、クロロベンゼン、１，１，２，２−テトラクロロエチレン、三塩化フッ化エタン、四フッ化二臭化エチル、臭化エタン、四フッ化二フッ化エタン、ヨウ化メチレン、トリヨードシラン、ヨウ化メチルなどのハロゲン化炭化水素類、或いは二硫化炭素、或いはポリジメチルシロキサンなどのシリコーンオイルなどが挙げられる。これら溶媒は、単独で用いられても良いし、二種以上を混合して用いられても良い。
【００９３】
「電子機器」
次に、前述した電気泳動表示装置を適用した電子機器について、図６及び図７を参照して説明する。以下では、前述した電気泳動表示装置を電子ペーパー及び電子ノートに適用した場合を例にとる。
【００９４】
図６は、電子ペーパーの構成を示す斜視図である。図６に示す様に、電子ペーパー４００は、本実施形態に係わる電気泳動表示装置１５０を備え、表示領域１０の周りに外枠領域６０を有している。電子ペーパー４００は可撓性を有し、従来の紙と同様の質感及び柔軟性を示す書き換え可能なシートから構成されている。
【００９５】
図７は、電子ノートの構成を示す斜視図である。図７に示す様に、電子ノート５００は、図６で示した電子ペーパー４００が複数枚束ねられ、カバー５０１に挟まれているものである。カバー５０１は、例えば外部の装置から送られる表示データを入力する為の表示データ入力部を備える。これにより、その表示データに応じて、電子ペーパーが束ねられた状態のまま、表示内容の変更や更新を行うことができる。
【００９６】
前述した電子ペーパー４００及び電子ノート５００は、本実施形態に係わる電気泳動表示装置１５０を備えるので、高品質な画像表示を行うことが可能である。尚、これらの他に、腕時計や携帯電話、携帯用オーディオ機器などの電子機器に、本実施形態に係わる電気泳動表示装置１５０を適用する事ができる。
【００９７】
以上述べたように、本実施形態に係わる電気泳動表示装置１５０とその製造方法に依れば、以下の効果を得る事ができる。
表示セル２７１と外枠セル２７６とで容易に第一粒子の重量比を変える事ができ、しかも表示領域１０で使用されている材料と同じ材料を用いて外枠領域６０を形成するので、表示領域１０と一体感があって自然な感覚を使用者にもたらす額縁や、表示領域１０を引き立たせる額縁を外枠領域６０に形成する事ができる。即ち、高い表示品位を有する電気泳動表示装置１５０が実現する。又、外枠領域６０の色相を第一粒子の色相又は第一粒子の色相に近い色相とする事ができる。従って、表示領域１０における第一粒子の色相を際立たせる事や、使用者に表示領域１０のコントラスト比が高い様に感じさせる事ができる。
【００９８】
第一成分２４１と第二成分２４２と第三成分２４３とを分けて吐出するので、吐出装置内での粒子の凝集が生じ難く、塗布不良を著しく減少させる事ができる。又、第一成分２４１では第一粒子が均一に分散しており、第二成分２４２では第二粒子が均一に分散しているので、表示領域１０や外枠領域６０と云った塗布面全領域に於いて均一な塗布が可能となり、その結果、電気泳動表示装置１５０の表示特性も均一になる。更に、第一成分２４１や第二成分２４２の保存安定性が高いので、吐出装置内でこれらを攪拌させる必要が無く、吐出装置を簡単な構成にする事ができる。又、第一成分２４１や第二成分２４２、第三成分２４３の保存安定性が高いので、電気泳動材料２４に分散安定剤などを添加しなくても良く、電気泳動表示装置１５０は優れた画像保持性を示す事になる。更に、第三成分２４３を第一成分２４１と第二成分２４２とに添加して電気泳動材料２４としているので、第一成分２４１と第二成分２４２は塗布性に優れた分散液とし、電気泳動材料２４は電気泳動性に優れた分散液とする事ができる。
【００９９】
尚、本実施形態では、電気泳動表示装置１５０として図２（ｃ）に示す断面図の上下方向に電気泳動する例を用いて説明したが、本発明はその他の電気泳動表示装置１５０にも適用可能である。即ち、本実施形態は、画素電極２２と共通電極２３との間に電界を印加して二種類の粒子の分布状態を変え、これらの電極間に電界が掛からなければ表示状態を維持する電気泳動表示装置１５０全般に適応する事ができる。具体的には画素電極２２と共通電極２３とが共に第一基板８０に形成され、図２（ｃ）に示す断面図の水平方向に電気泳動する電気泳動表示装置１５０などにも適応できる。
【０１００】
（実施形態２）
「表示セルと外枠セルとが異なるサイズの形態」
図８は実施形態２に係わる電気泳動表示装置の一例を説明した図である。以下、本実施形態に係わる電気泳動表示装置について説明する。尚、実施形態１と同一の構成部位については、同一の符号を附し、重複する説明は省略する。
【０１０１】
本実施形態（図８）は実施形態１（図２）と比べて、セル２７のサイズが異なっている。それ以外の構成は、実施形態１とほぼ同様である。実施形態１（図２）では表示セル２７１と外枠セル２７６とが同じサイズであった。これに対して本実施形態（図８）では、表示セル２７１と外枠セル２７６との大きさが異なっている。即ち、表示セル２７１よりも外枠セル２７６の方が大きくなっている。勿論、反対に表示セル２７１よりも外枠セル２７６の方を小さくしても良い。この様に外枠セル２７６のサイズは任意に定める事ができる。
【０１０２】
以上述べたように、本実施形態に係わる電気泳動表示装置１５０によれば、実施形態１での効果に加えて、以下の効果を得る事ができる。外枠セル２７６の方が表示セル２７１よりも大きいので、外枠セル２７６への第二分散液の充填作業が容易となる。従って、製造歩留まりが向上し、価格面でも優位となる。更に、平面的に隔壁２６の割合が減少するので、高い表示品位とする事ができる。
【０１０３】
（実施形態３）
「外枠電極を設ける形態」
図９は実施形態３に係わる電気泳動表示装置の一例を説明した図である。以下、本実施形態に係わる電気泳動表示装置について説明する。尚、実施形態１と同一の構成部位については、同一の番号を附し、重複する説明は省略する。
【０１０４】
本実施形態（図９）は実施形態１（図２）と比べて、外枠電極２８が設けられている点が異なっている。それ以外の構成は、実施形態１とほぼ同様である。図９に示す様に、外枠領域６０に外枠電極２８を設けて、外枠領域６０で第二分散液を電気泳動させても良い。実施形態１に記した通り、外枠領域６０に高速動作するデータ線駆動回路７３などが設けられた場合には、外枠電極２８を設けないのが好ましい。これに対して、駆動回路７０をＩＣチップとして、第一基板８０の外に実装する場合は、外枠電極２８を設けても駆動の妨げにならないので、外枠領域６０の第二分散液を電気泳動させる事ができる。外枠領域６０で電気泳動が可能になれば、微妙な色相の変化も可能になり、より高品位な表示を使用者に感じさせられる。
【０１０５】
外枠電極２８は外枠領域６０に設けられた一つの電極で有っても構わないし、外枠領域６０を複数に分割する電極で有っても構わない。例えば、表示領域１０の外側に、辺毎に分割された四つの電極で外枠電極２８が構成されていても良いし、データ線駆動回路７３が形成された辺には外枠電極２８を設けず、その他の三辺に外枠電極２８を設けても良い。又、外枠電極２８が複数の電極に分割されている場合は、それぞれの電極を独立に制御しても良いし、一括して制御しても良い。外枠電極２８の制御はコントローラー７１にてなされる。
【０１０６】
以上述べたように、本実施形態に係わる電気泳動表示装置１５０によれば、実施形態１での効果に加えて、外枠領域６０での微妙な色相の制御が可能になり、より高品位な表示を使用者に感じさせられるとの効果を得ることができる。
【０１０７】
尚、本発明は上述した実施形態に限定されず、上述した実施形態に種々の変更や改良などを加えることが可能である。変形例を以下に述べる。
【０１０８】
（変形例１）
「一粒子系の形態」
図２と図４とを用いて、本変形例に係わる電気泳動表示装置とその製造方法について説明する。尚、実施形態１と同一の構成部位については、同一の符号を附し、重複する説明は省略する。
【０１０９】
本変形例は実施形態１と比べて、電気泳動材料２４が異なっている。それ以外の構成は、実施形態１とほぼ同様である。実施形態１では二種類の粒子が正負逆極性に帯電していたが、本変形例では染料溶媒中に一種類の粒子が正又は負に帯電している。即ち、本変形例に於いては、表示セル２７１内には、第一粒子が第一の組成比で溶液に分散された分散液が充填され、外枠セル２７６内には、第一粒子が第二の組成比で溶液に分散された分散液が充填され、第一の組成比と第二の組成比とが異なっている。尚、此処で言う組成比とは分散液全体の重量に対する第一粒子の重量の比である。或いは、外枠セル２７６内には、第一粒子が含まれない溶液が充填されていても良い。又、第一の組成比をＣ1と表記し、第二の組成比をＣ2と表記した際に、Ｃ1とＣ2とは、数式２１の関係式を満たす事が好ましい。
【０１１０】
【数２１】
0005765137.tif 000022
【０１１１】
具体的な一例としては、溶液がアニリンから合成された油溶性の黒色ジスアゾ染料をベンゼン等の有機溶媒に溶解した染料溶媒である。黒色ジスアゾ染料は、アニリンをジアゾ成分、ナフチルアミンをカップリング成分とするモノアゾ中間体をジアゾ化し、１，８−ジアミノナフタレンとアセトンとを反応して得られる２，２´−ジメチル−２，３−ジヒドロペリミジンにカップリングさせて合成される。黒色ジスアゾ染料は、この合成物を含む混合物である。この溶液に第一粒子として、白色顔料の酸化チタンを分散させる。好適例に於いて、表示セル２７１に充填される分散液の第一の組成比は、白色顔料Ｃ1＝１１ｗｔ％、黒色ジスアゾ染料５ｗｔ％、ベンゼン８４ｗｔ％である。又、好適例に於いて、外枠セル２７６に充填される分散液の第二の組成比は、白色顔料Ｃ2＝２ｗｔ％、黒色ジスアゾ染料５ｗｔ％、ベンゼン９３ｗｔ％である。従って、好適例に於いて、（１／Ｃ2−１）／（１／Ｃ1−１）＝６．１となっている。
【０１１２】
製造方法は実施形態１とほぼ同じで、第一成分２４１が第一粒子を含み、第一吐出部１３１から表示セル２７１と、外枠セル２７６に吐出される。又、第二成分２４２が黒色ジスアゾ染料で、第二吐出部１３２から吐出され、第三成分２４３が有機溶媒で、第三吐出部１３３から吐出される。吐出順番等は実施形態１と同じである。
【０１１３】
本変形例の様に一粒子系の場合、セル２７を充填する有機溶媒の重量は、セル２７の体積から白粒子の体積を減じた体積に溶剤の密度を乗じて、数式２２となる。
【０１１４】
【数２２】
0005765137.tif 000023
【０１１５】
従って、分散液全体（溶媒＋白粒子）の重量は、数式２３にて表現される。
【０１１６】
【数２３】
0005765137.tif 000024
【０１１７】
分散液全体重量に対する白粒子重量の割合Ｃは、数式１０を数式２３にて除して、数式２４となる。
【０１１８】
【数２４】
0005765137.tif 000025
【０１１９】
又、必要最少の白粒子は、数式１６より、数式２５となる。
【０１２０】
【数２５】
0005765137.tif 000026
【０１２１】
実施形態１と同様に、ｒW＝０．１μｍ、ｄ＝５０μｍ、ρW＝４ｇ／ｃｍ3、ρS＝０．８ｇ／ｃｍ3、ＮW＝１０、とすると、Ｃ1は１１％となる。Ｃ2に関する好適例は実施形態１のＲ2と同様である。
【０１２２】
以上述べた様に、本変形例によれば、電気泳動材料２４が一粒子系であっても、実施形態１と同様な効果を得る事ができる。
【０１２３】
（変形例２）
「外枠形状が異なる形態」
図１０は本変形例に係わる電気泳動表示装置の一例を説明した図である。以下図１０を用いて、本変形例に係わる電気泳動表示装置について説明する。尚、実施形態１と同一の構成部位については、同一の符号を附し、重複する説明は省略する。
【０１２４】
本変形例（図１０）は実施形態１（図２）と比べて、外枠領域６０の形状が異なっている。それ以外の構成は、実施形態１とほぼ同様である。実施形態１（図２）では、外枠領域６０が一重の枠をなしていたが、外枠領域６０の形状はこれに限られず、あらゆる形状が可能である。例えば、図１０（ａ）に示す様に、表示領域１０の外周に沿って連続な枠が複数個設けられ、縞状の枠をなしていても良い。或いは、図１０（ｂ）に示す様に、外周に沿って所々に切れ目が設けられた不連続の枠であっても良い。使用者の感覚を改善するあらゆる形状が可能である。
【０１２５】
以上述べたように、本変形例に係わる電気泳動表示装置１５０によれば、実施形態１での効果に加えて、様々な形状の外枠を設ける事ができ、より心地良い使用感を使用者に与えるとの効果を得ることができる。
【０１２６】
（変形例３）
「セル形状が異なる形態」
図１１は本変形例に係わる電気泳動表示装置の一例を説明した図である。以下図１１を用いて、本変形例に係わる電気泳動表示装置について説明する。尚、実施形態１と同一の構成部位については、同一の符号を附し、重複する説明は省略する。
【０１２７】
本変形例（図１１）は実施形態１（図２）と比べて、セル２７の形状が異なっている。それ以外の構成は、実施形態１及び実施形態２とほぼ同様である。実施形態１（図２）では、セル２７の形状は直角な四角形であったが、セル２７の形状はこれ以外にも、様々な形状が可能である。例えば、図１１（ａ）に示す様に、セル２７の形状を三角形としても良いし、図１１（ｂ）に示す様に、平行四辺形や菱形としても良い。この他に六角形のハニカムとしても良い。平面を覆う形状で有れば、あらゆる形状が可能である。
【０１２８】
以上述べたように、本変形例に係わる電気泳動表示装置１５０によれば、実施形態１での効果に加えて、セル２７の形状を自由に設定する事ができる。
事ができる。
【符号の説明】
【０１２９】
１０…表示領域、２０…画素、２２…画素電極、２３…共通電極、２４…電気泳動材料、２６…隔壁、２７…セル、２８…外枠電極、６０…外枠領域、７０…駆動回路、１００…電子機器、１３１…第一吐出部、１３２…第二吐出部、１３３…第三吐出部、１５０…電気泳動表示装置、２４１…第一成分、２４２…第二成分、２４３…第三成分、２７１…表示セル、２７６…外枠セル。
【図１】
0005765137.tif 000029
【図２】
0005765137.tif 000030
【図３】
0005765137.tif 000031
【図４】
0005765137.tif 000032
【図５】
0005765137.tif 000033
【図６】
0005765137.tif 000034
【図７】
0005765137.tif 000035
【図８】
0005765137.tif 000036
【図９】
0005765137.tif 000037
【図１０】
0005765137.tif 000038
【図１１】
0005765137.tif 000039